(57)【要約】【課題】発電負荷追従運転に際し、事前に燃料電池スタックの劣化を検知する。【解決手段】後段の燃料電池スタック１８のセルのＯＣＶを検出し、予め既知の基準値と比較することで、前段の燃料電池スタック１６の状態（正常又は異常）を判断することができる。このため、燃料電池スタックの劣化が進行し易い起動による異常を、当該起動前に検知することができる。【選択図】図２
2018147737.tif 000002
【特許請求の範囲】
【請求項１】
改質水を気化する気化器、前記気化器で気化した水蒸気と原料ガスとを改質反応させ燃料ガスを生成する改質器、並びに、前記改質器から燃料ガスを受ける初段の燃料電池スタック及び前段に設けられた燃料電池スタックにおける化学反応後の未反応の燃料ガスを受けて発電する後段の燃料電池スタック備えた多段式発電処理部と、
二段目以降に位置する燃料電池スタック、又は前記燃料電池スタックを構成するセルの開回路電圧を検出する開回路電圧検出手段と、
発電負荷追従運転前後に実行され、前記開回路電圧検出手段で検出した開回路電圧と、基準電圧とを比較して、開回路電圧の検出対象とした燃料電池スタックよりも上流に位置する燃料電池スタックの動作状態の良否を判定する判定手段と、
を有する燃料電池システム。
【請求項２】
前記判定手段が不良判定した場合に、前記多段式発電処理部の発電処理を強制停止させることを特徴とする請求項１記載の燃料電池システム。
【請求項３】
後段の燃料電池スタックに前記未反応の燃料ガスを供給する際に、二酸化炭素及び水蒸気の少なくとも一方を除去することで燃料ガスを再生する燃料再生装置と、
前記未反応の燃料ガスが流動する管路に設けられ、前記燃料再生装置を適用状態又は非適用状態の何れかに切り替え可能な切替手段とをさらに有し、
前記燃料再生装置を適用している状態で、前記判定手段が不良判定した場合に、前記切替手段を制御して、前記燃料再生装置を非適用状態とし、前記判定手段による判定を再度実行することを特徴とする請求項１又は請求項２記載の燃料電池システム。
【請求項４】
前記基準電圧が、固定値であることを特徴とする請求項１〜請求項３の何れか１項記載の燃料電池システム。
【請求項５】
前記基準電圧が、前記判定手段で良判定となった最新の開回路電圧の更新値であることを特徴とする請求項１〜請求項３の何れか１項記載の燃料電池システム。
【発明の詳細な説明】
【技術分野】
【０００１】
本発明は、燃料電池システムに関するものであり、特に、多段式燃料電池システムにおける後段スタック及び燃料再生装置の故障検知に関する。
【背景技術】
【０００２】
例えば、特許文献１は、多段式燃料電池システムにおいて、アノードオフガスから水蒸気、或いは水蒸気と二酸化炭素を除去する燃料再生を実施することで、燃料利用率を改善することが記載されている。
【０００３】
ところで、多段式燃料電池システムにおいて、多段の燃料電池スタックが劣化した場合、特に、前段の燃料電池スタックの劣化検知が重要となる。
【０００４】
その主たる理由は、後段の燃料電池スタックへ供給されるアノード・カソードガスの組成や流量が変動し、その状態で発電を実施したとすると、後段の燃料電池スタックも劣化しやすくなるからである。
【０００５】
燃料電池スタックは、長期運転や起動停止によるヒートサイクルや運転時にかかるガス圧力の変動やガス組成の変動等の負荷により、劣化が進行する可能性がある。
【０００６】
特に、ＳＯＦＣは、作動温度が高く、発電効率が高いが、運転温度が高いと劣化速度も増加する傾向にあることから、燃料電池スタックの劣化の対策として、燃料電池スタックの上限温度を設定し、その設定した上限温度を超えたときは、空気流量を増加する制御が実施される。
【０００７】
燃料電池スタックの劣化の検知手段としては、運転中の温度を検知箇所とするものが一般的であり、特許文献２及び特許文献３に記載されている。
【０００８】
特許文献２には、ＳＯＦＣの作動温度を検知し、作動温度が所定温度以下になった場合、出力を減らすことで作動温度を低下させ、作動温度が所定温度以下になると、出力を定格に戻す制御を実施することが記載されている。
【０００９】
また、特許文献３には、発電室温度を検知し、基準温度を複数点設定し、温度上昇分にしきい値を設け、検出温度がしきい値を超えている場合には、燃料電池モジュールが劣化したと判定し、燃料流量と定格出力を減らす制御を実施することが記載されている。
【先行技術文献】
【特許文献】
【００１０】
【特許文献１】特開２００６−３１９８９号公報
【特許文献２】特開２００７−２７３２５２号公報
【特許文献３】特開２０１１−１０３２１０号公報
【発明の概要】
【発明が解決しようとする課題】
【００１１】
ところで、燃料電池システムにおいて、エネルギー利用効率を向上させるための構成として、燃料電池スタックを複数設け、前段の燃料電池スタックから排出された使用済みの燃料ガス中の未反応の燃料ガスを、後段の燃料電池スタックで再利用する多段式燃料電池システムが知られている。
【００１２】
多段式燃料電池システムは、燃料電池の種類を問わず適用され、多段化による燃料利用率向上が検討されている。
【００１３】
一例として、前後段の燃料電池スタックと共に高温作動型燃料電池（固体酸化物型燃料電池、溶融炭酸塩形燃料電池等）が適用される。なお、固体酸化物型燃料電池（ＳＯＦＣ）については酸化物イオン導電型・プロン導電型のいずれの種類でもよい。
【００１４】
また、他の例としては、後段のみ固体高分子型燃料電池等が適用される。
【００１５】
さらに、前後段の燃料電池スタックの間に、未反応の燃料ガス中における水蒸気や二酸化炭素を取り除くことができれば、反応に寄与する水素や一酸化炭素の濃度が上がり、再利用された燃料ガスを用いた燃料電池スタックの性能を向上させることができる。
【００１６】
しかしながら、上記燃料電池システムにおいて、燃料電池スタックの温度を劣化判定とする場合、発電出力（発電負荷）等の条件が変わると、条件変化による温度変化であるのか、燃料電池スタックの劣化による温度変化であるのかの判断が難しい。
【００１７】
従って、前記特許文献２及び特許文献３を含む従来技術では、発電中に劣化を判定するため、劣化判定モードを設定し劣化判定モード中の数時間は負荷追従が不可能になるという課題がある。
【００１８】
また、発電中に劣化を検知する手段では、燃料電池スタックの劣化が進行し易い時期に検知することはできない。
【００１９】
本発明は上記事実を考慮し、発電負荷追従運転に際し、事前に燃料電池スタックの劣化を検知することができる燃料電池システムを得ることが目的である。
【課題を解決するための手段】
【００２０】
本発明は、改質水を気化する気化器、前記気化器で気化した水蒸気と原料ガスとを改質反応させ燃料ガスを生成する改質器、並びに、前記改質器から燃料ガスを受ける初段の燃料電池スタック及び前段に設けられた燃料電池スタックにおける化学反応後の未反応の燃料ガスを受けて発電する後段の燃料電池スタック備えた多段式発電処理部と、二段目以降に位置する燃料電池スタック、又は前記燃料電池スタックを構成するセルの開回路電圧を検出する開回路電圧検出手段と、発電負荷追従運転前後に実行され、前記開回路電圧検出手段で検出した開回路電圧と、基準電圧とを比較して、開回路電圧の検出対象とした燃料電池スタックよりも上流に位置する燃料電池スタックの動作状態の良否を判定する判定手段と、を有する燃料電池システムである。
【００２１】
本発明によれば、判定手段では、発電負荷追従運転前後に、開回路電圧検出手段で二段目以降に位置する燃料電池スタックを構成するセルの開回路電圧を検出する。この開回路電圧検出手段で検出した開回路電圧と、基準電圧とを比較して、開回路電圧の検出対象とした燃料電池スタックよりも上流に位置する燃料電池スタックの動作状態の良否を判定する。
【００２２】
なお、発電負荷追従運転前とは、例えば、燃料電池システムの昇温処理後、かつ発電負荷追従運転が開始されるまでの期間であり、発電負荷追従運転後とは、例えば、発電負荷追従運転の終了後、かつ燃料電池システムの降温処理までの期間である。
【００２３】
従って、発電負荷追従運転前後に、燃料電池スタックの良否を判定することができる。
【００２４】
発電負荷追従運転前であれば、直後の発電負荷追従運転に際し、事前に燃料電池スタックの劣化を検知することができる。また、発電負荷追従運転後であれば、次の発電負荷追従運転に際し、事前に燃料電池スタックの劣化を検知することができる。
【００２５】
本発明において、前記判定手段が不良判定した場合に、前記多段式発電処理部の発電処理を強制停止させることを特徴とする。
【００２６】
不良判定は、燃料電池スタックの機能低下で、発電そのものは可能である場合がある。しかし、負荷変動する発電には適さないため、機能低下を故障と判断し、即時に多段式発電処理部の発電処理を停止させる。
【００２７】
これにより、例えば、劣化が判明して修復するまでの期間、負荷追従が中断するという最悪の事態を回避することができる。
【００２８】
本発明において、後段の燃料電池スタックに前記未反応の燃料ガスを供給する際に、二酸化炭素及び水蒸気の少なくとも一方を除去することで燃料ガスを再生する燃料再生装置と、前記未反応の燃料ガスが流動する管路に設けられ、前記燃料再生装置を適用状態又は非適用状態の何れかに切り替え可能な切替手段とをさらに有し、前記燃料再生装置を適用している状態で、前記判定手段が不良判定した場合に、前記切替手段を制御して、前記燃料再生装置を非適用状態とし、前記判定手段による判定を再度実行することを特徴とする。
【００２９】
燃料再生装置を適用している状態で、判定手段が不良判定した場合に、切替手段を制御して、燃料再生装置を非適用状態とし、判定手段による判定を再度実行する。例えば、切替手段として、電気的制御で弁体を開閉可能なソレノイドバルブ（電磁弁）等が適用可能であるが、制御という範疇に、手動による切替操作（弁体の開閉等）を含むものとする。
【００３０】
これにより、不良判定となった原因箇所が、前段の燃料電池スタックであるか、或いは、燃料再生装置であるかを特定することができる。
【００３１】
本発明において、前記基準値が、固定値であることを特徴とする。
【００３２】
基準電圧が固定値であれば、絶対量として開回路電圧の良否を判定することができる。
【００３３】
本発明において、前記基準値が、前記判定手段で良判定となった最新の開回路電圧の更新値であることを特徴とする。
【００３４】
基準電圧が更新値であれば、前回との変化率（又は変化量）として開回路電圧の良否を判定することができる。なお、当然、前回の判定が正常であることが前提となる。
【発明の効果】
【００３５】
以上説明した如く本発明では、発電負荷追従運転に際し、事前に燃料電池スタックの劣化を検知することができるという優れた効果を奏する。
【図面の簡単な説明】
【００３６】
【図１】第１の実施の形態に係る燃料電池システムの概略構成図であり、（Ａ）は燃料再生装置の適用状態（デフォルト）のバルブ位置、（Ｂ）は燃料再生装置の非適用状態のバルブ位置を示す。
【図２】第１の実施の形態に係る制御部において実行されるＳＯＦＣスタック健全性確認モード制御のための機能ブロック図である。
【図３】第１の実施の形態に係るＳＯＦＣスタック健全性確認モード制御ルーチンを示すフローチャートである。
【図４】第１の実施の形態の変形例（変形例１）に係るＳＯＦＣスタック健全性確認モード制御ルーチンを示すフローチャートである。
【図５】第２の実施の形態に係る燃料電池システムの概略構成図である。
【図６】第２の実施の形態に係るＳＯＦＣスタック健全性確認モード制御ルーチンを示すフローチャートである。
【図７】第２の実施の形態の変形例（変形例２）に係るＳＯＦＣスタック健全性確認モード制御ルーチンを示すフローチャートである。
【発明を実施するための形態】
【００３７】
（第１の実施の形態）
【００３８】
図１に従い、第１の実施の形態に係る燃料電池システム１０の構成を、各部の機能と共に説明する。
【００３９】
燃料電池システム１０は、主要な構成として、気化器１２、改質器１４、燃焼器１５、第１燃料電池スタック１６、第２燃料電池スタック１８、燃料再生装置２０、及び制御部２２を備えている。
【００４０】
第１燃料電池スタック１６は、固体酸化物形の燃料電池スタックであり、積層された複数の燃料電池セルを有している。第１燃料電池スタック１６は、燃料ガス及び空気を同等の条件で受ける複数のスタックモジュールで構成してもよい。また、第１燃料電池スタック１６は、固体酸化物形に限定されるものではない。
【００４１】
第２燃料電池スタック１８は、固体酸化物形の燃料電池スタックであり、積層された複数の燃料電池セルを有している。第２燃料電池スタック１８は、燃料ガス及び空気を同等の条件で受ける複数のスタックモジュールで構成してもよい。また、第２燃料電池スタック１８は、固体酸化物形に限定されるものではない。
【００４２】
すなわち、第１の実施の形態の燃料電池システム１０は、燃料電池スタックが第１燃料電池スタック１６及び第２燃料電池スタック１８の２段とされた、多段式の燃料電池システム１０を構成している。なお、段数は、２段に限定されず、３段以上であってもよい。
【００４３】
気化器１２には、原料ガス管Ｐ１の一端が接続されており、原料ガス管Ｐ１の他端は図示しないガス源に接続されている。ガス源からは、ブロアＢによりガス（一例として、メタン）が気化器１２へ送出される。また、気化器１２には、水供給管Ｐ２が接続され、改質水（液相）が気化器１２へ送出される。
【００４４】
なお、第１の実施形態では、原料ガスとしてメタンを用いるが、改質が可能なガスであれば特に限定されず、炭化水素燃料を用いることができる。炭化水素燃料としては、天然ガス、ＬＰガス（液化石油ガス）、石炭改質ガス、低級炭化水素ガスなどが例示される。
【００４５】
気化器１２では、供給されたメタン及び水が混合されると共に加熱され、水が気化され水蒸気となる。
【００４６】
メタン及び水蒸気は、気化器１２から配管Ｐ３を介して改質器１４へ送出される。改質器１４では、燃焼器１５による加熱に依存した改質反応により、水素を含む燃料ガスが生成される。燃料ガスは、燃料ガス管Ｐ４を介して第１燃料電池スタック１６のアノード１６Ａに供給される。
【００４７】
第１燃料電池スタック１６のカソード１６Ｂには、例えば、燃料再生装置２０を経由した配管Ｐ５から酸化ガスが供給される。これにより、第１燃料電池スタック１６では、化学反応により発熱し、発電が行われる。この発電に伴い燃料電池スタック１６のアノード１６Ａからは、アノードオフガスがアノードオフガス管Ｐ６を通って燃料再生装置２０へ排出される。また、カソード１６Ｂからは、カソードオフガスが排出され、カソードオフガスは、カソードオフガス管Ｐ７を通って第２燃料電池スタック１８のカソード１８Ｂへ供給される。
【００４８】
アノード１６Ａから排出されたアノードオフガスは、燃料再生装置２０で再生燃料ガスが生成され、再生燃料ガス管Ｐ８により第２燃料電池スタック１８のアノード１８Ａへ供給される。第２燃料電池スタック１８では、化学反応により発電が行われる。
【００４９】
なお、燃料再生装置２０では、詳細は省略するが、アノードオフガスから二酸化炭素及び水蒸気の少なくとも一方を分離する機能を有しており、一例として、複数の熱交換部や分離部を備え、再生燃料ガスの生成に際し、空気供給部から供給される空気（酸化ガス）等との熱交換、といった処理が実行される。
【００５０】
アノード１８Ａ及びカソード１８Ｂでの使用済ガスは、配管Ｐ９、カソードオフ燃焼導入管Ｐ１０により各々燃焼器１５へ送出され、燃焼器１５で燃焼に供される。
【００５１】
燃焼器１５からの燃焼排ガスは、例えば、図示しない熱交換部を経て、気化器１２で改質水を気化するための熱源として利用される。
【００５２】
第１の実施の形態の多段式の燃料電池システム１０は、起動指示があると発電するための起動の準備（起動処理）が実行された後、負荷追従運転に移行するようになっている。
【００５３】
負荷追従運転とは、負荷の消費電力に応じて、発電量を制御する運転である。
【００５４】
ここで、多段式の燃料電池システム１０を発電し、負荷追従運転を実行する前に、燃料電池スタック１６、１８が劣化していると、発電量が負荷の消費電力に追従できなくなる場合がある。
【００５５】
そこで、第１の実施の形態では、多段式の燃料電池システム１０を起動し、発電負荷追従状態に移行する前に、動作状態、すなわち、燃料電池スタックの健全性を確認するようにした。
【００５６】
具体的には、多段となっている燃料電池スタックの何れかセルの開回路電圧である起電力「ＯＣＶ「Open Circuit Voltage」を検出することで、検出位置よりも上流側（前段）の燃料電池スタックの健全性を確認する。すなわち、第１の実施の形態では、２段の燃料電池スタック１６、１８を備えているため、この燃料電池スタック１８のセルにＯＣＶ検出部３６を設置、当該セルのＯＣＶを検出し、燃料電池スタック１６の健全性を確認（正常／異常の判定）している。
【００５７】
多段式燃料電池システムにおいて、多段の燃料電池スタックが劣化した場合、特に、前段の燃料電池スタックの劣化検知が重要となる（以下の理由１〜３参照）。
【００５８】
（理由１）  後段の燃料電池スタックへ供給されるアノード・カソードガスの組成や流量が変動し、その状態で発電を実施したとすると、後段の燃料電池スタックも劣化しやすくなる。
【００５９】
（理由２）  前段の燃料電池スタックは、後段の燃料電池スタックに比較して水の気化による圧力変動やポンプ脈動による圧力変動の影響が大きい。
【００６０】
（理由３）  内部改質可能な、例えば燃料電池システムの燃料電池スタックが特に前段の燃料電池スタックに劣化が生じやすい。
【００６１】
なお、第１の実施の形態において、「劣化」とは機能低下を含むが、実際には、発電が負荷に追従できないという状況から鑑み、機能低下の最悪の状態である、「故障」と言い換えてもよい。以下において、劣化及び故障を総称して、「異常」という。
【００６２】
燃料電池スタック１８のセルのＯＣＶの基準値（リーク無）は既知（一例として、１．０６Ｖ）であり、この既知である基準値（基準値に幅を持たせる場合は、その下限レベル）を記憶しておき、ＯＣＶ検出時期に基準値を読み出して、ＯＣＶ検出値と比較することで、正常か異常かを判定することができる。なお、基準値の上限レベルは、ＯＣＶが異常時に電圧が上がることは想定していなため、基準値の下限レベルを設定すればよい。なお、上限レベルの設定を否定するものではなく、基準値を所定範囲として判定するようにしてもよい。
【００６３】
異常の場合の一例として、燃料ガスがメタン（ＣＨ４）、Ｓ／Ｃ＝２．５、燃料電池スタック温度＝７００℃、燃料ガスの５０％がセルの内部からリークし、それと同等の空気がアノード１８Ａ側に流入し平衡状態と仮定し、燃料再生装置２０では、二酸化炭素を５０％、水を８０％除去した場合、異常値（リーク有）は０．９６Ｖとなった。従って、ＯＣＶを監視することで、燃料電池スタック１６の状態（正常又は異常）を確認することができる。
【００６４】
ところで、第１の実施の形態の多段式の燃料電池システム１０は、燃料再生装置２０を備えているため、前記燃料電池スタック１８のセルのＯＣＶの検出値が異常値を示した場合、前段の燃料電池スタック１６のリークと断定できない場合がある。
【００６５】
すなわち、燃料再生装置２０での不具合で異常が発生することがある。そこで、燃料電池スタック１６と燃料電池スタック１８との間に介在する燃料再生装置２０をショートパスするバイパス管Ｐ１１を設け、バルブ切替制御によって、燃料再生装置２０を適用する場合と、適用しない場合とを設定可能とした。
【００６６】
すなわち、図１に示される如く、アノードオフガス管Ｐ６及び再生燃料ガス管Ｐ８の間には、燃料再生装置２０を介さずに、当該アノードオフガス管Ｐ６及び再生燃料ガス管Ｐ８を直接連通させるバイパス管Ｐ１１が設けられている。バイパス管Ｐ１１の途中には、ショートパスバルブ２４が介在されている。
【００６７】
また、アノードオフガス管Ｐ６における前記バイパス管Ｐ１１との接続部よりも燃料再生装置２０側には、連通バルブ２６Ａが介在されている。さらに、再生燃料ガス管Ｐ８における前記バイパス管Ｐ１１との接続部よりも燃料再生装置２０側には、連通バルブ２６Ｂが介在されている。
【００６８】
ここで、図１（Ａ）に示される如く、燃料再生装置２０を適用する場合は、ショートパスバルブ２４を閉止状態とし、連通バルブ２６Ａ、２６Ｂを開放状態とする。この燃料再生装置２０を適用する状態とデフォルト状態とする。
【００６９】
一方、図１（Ｂ）に示される如く、燃料再生装置２０を適用しない場合は、ショートパスバルブ２４を開放状態とし、連通バルブ２６Ａ、２６Ｂを閉止状態とする。
【００７０】
図２は、第１の実施の形態に係る制御部２２において実行される、燃料電池スタックの健全性を確認モード制御に特化した機能ブロック図である。なお、この図２の各ブロックは、制御部２２のハード構成を限定するものではない。例えば、制御部２２がハード構成として、ＣＰＵ、ＲＡＭ、ＲＯＭ、入出力ポート（Ｉ／Ｏ）、及びこれらを接続するデータバスやコントロールバス等のバスを備えたマイクロコンピュータを有し、以下に説明する一部又は全部の機能ブロックの動作をＣＰＵで実行される燃料電池スタックの健全性を確認モード制御プログラムの処理としてもよい。
【００７１】
起動指示受付部２８では、多段式の燃料電池システム１０の起動指示を受け付ける。起動指示受付部２８は、バルブ動作制御部３０に接続されており、起動指示に基づき、各バルブ（ショートパスバルブ２４及び連通バルブ２６Ａ、２６Ｂ）をデフォルト状態（燃料再生装置２０の適用状態）とする。第１の実施の形態では、燃料再生装置２０を適用することがデフォルト状態であり、ショートパスバルブ２４を閉止状態とし、連通バルブ２６Ａ、２６Ｂを開放状態とする（図１（Ａ）参照）。
【００７２】
また、バルブ動作制御部３０では、起動指示直後の昇温中、及び、後述する判定部４２から、デフォルト状態の下での異常判定の通知を受けると、各バルブを燃料再生装置２０の非適用状態とする。すなわち、ショートパスバルブ２４を開放状態とし、連通バルブ２６Ａ、２６Ｂを閉止状態とする（図１（Ｂ）参照）。
【００７３】
バルブ動作制御部３０は、起動実行部３２に接続されており、各バルブの動作制御後に起動実行指示を通知する。
【００７４】
より具体的には、起動指示後に昇温処理を実行するが、この昇温処理中は、燃料再生装置２０を非適用状態とし、昇温が十分に実行された後、燃料再生装置２０を適用状態としている。これは、昇温スピードを向上するためであり、バルブ動作制御部３０では、この昇温処理に同期して、ショーパスバルブ２４、連通バルブ２６Ａ、２６Ｂを制御して、図１（Ｂ）の状態で昇温し、昇温終了後に図１（Ａ）の状態に移行させる。
【００７５】
起動実行部３２は、起動実行通知を受けると、昇温終了後に、ＯＣＶ取込部３４に対して、ＯＣＶ検出部３６で検出した、後段燃料電池スタック（すなわち、第１の実施の形態では、燃料電池スタック１８）のセルのＯＣＶ（ＶＡocv、ＶＢocv）を取り込むように指示する。
【００７６】
検出値ＶＡocvは燃料再生装置２０の適用時（デフォルト時）の電圧であり、検出値ＶＢocvは燃料再生装置２０の非適用時の電圧である。
【００７７】
ＯＣＶ取込部３４は、比較部３８に接続されている。また、比較部３８は、基準値メモリ４０に接続されている。
【００７８】
このため、比較部３８では、ＯＣＶ取込部３４で取り込んだ燃料電池スタック１８のセルのＯＣＶ（ＶＡocv、ＶＢocv）と、基準値とが比較されるようになっている。
【００７９】
この比較の際、基準値メモリ４０からは、燃料再生装置２０の適用時（デフォルト時）は基準値ＶＳａが読み出され、燃料再生装置２０の非適用時は基準値ＶＳｂが読み出される。なお、基準値ＶＳｂは、基準値ＶＳａよりも若干低い値に設定されている（ＶＳｂ＜ＶＳａ）。
【００８０】
比較部３８での比較結果は、判定部４２に送出される。
【００８１】
判定部４２における判定結果が、ＶＡocvと基準値ＶＳａとの比較で異常と判定した場合は、バルブ動作制御部３０に対して、燃料再生装置２０を非適用状態とするようにバルブ切替制御を指示する。すなわち、ショートパスバルブ２４を開放状態とし、連通バルブ２６Ａ、２６Ｂを閉止状態とする（図１（Ｂ）参照）。
【００８２】
また、判定部４２における判定結果が、ＶＡocvと基準値ＶＳａとの比較で正常と判定した場合、並びに、ＶＢocvと基準値ＶＳｂとの比較で正常又は異常と判定した場合は、処理選択部４４に正常又は異常を通知する。
【００８３】
処理選択部４４では、正常通知を受けた場合は、正常処理部４６に実行指示を出力し、負荷追従運転に移行させ、異常通知を受けた場合は、異常処理部４８に実行指示を出力し、異常報知及び運転停止処理を実行する。
【００８４】
なお、上記の判定処理は、昇温後、発電前に実行される。
【００８５】
以下に、第１の実施の形態の作用を説明する。
【００８６】
（多段式燃料電池スタックの発電動作）
【００８７】
第１の実施の形態の燃料電池システムでは、まず、初段である第１燃料電池スタックを対象として、気化器１２には、ガス源からメタンが供給されると共に、水が供給される。供給されたメタンと水は、混合されると共に、燃焼排ガスから熱を得て加熱され、水が気化され水蒸気となる。
【００８８】
メタン及び水蒸気は、気化器１２から改質器１４へ送出される。改質器１４では、改質反応により、水素を含む燃料ガスが生成される。燃料ガスは、第１燃料電池スタック１６のアノード１６Ａに供給される。第１燃料電池スタック１６のカソード１６Ｂには、酸化ガスが供給される。これにより、第１燃料電池スタック１６では、化学反応により発電が行われる。
【００８９】
この発電に伴い燃料電池スタック１６のアノード１６Ａからは、アノードオフガスが排出される。また、カソード１６Ｂからは、カソードオフガスが排出され、カソードオフガスは、第２燃料電池スタック１８のカソード１８Ｂへ供給される。
【００９０】
アノード１６Ａから排出されたアノードオフガスは、燃料再生装置２０により再生燃料ガスが生成され、第２燃料電池スタック１８のアノード１８Ａへ供給される。第２燃料電池スタック１８では、化学反応により発電が行われる。
【００９１】
（燃料電池スタックの健全性確認）
【００９２】
多段式の燃料電池システム１０を発電し、負荷追従運転を実行する前に、燃料電池スタック１６、１８が劣化していると、発電が負荷に追従できなくなる場合がある。そこで、第１の実施の形態では、多段式の燃料電池システム１０を起動し、発電負荷追従状態に移行する前に、動作状態、すなわち、燃料電池スタックの健全性を確認するようにした。
【００９３】
図３は、第１の実施の形態に係る燃料電池スタックの健全性確認モード制御ルーチンを示すフローチャートである。
【００９４】
ステップ１００では、起動指示があったか否かを判断し、否定判定された場合は、このルーチンは終了する。また、ステップ１００で肯定判定されると、ステップ１０１へ移行してバルブ制御を実行する。
【００９５】
このステップ１０１では、燃料再生装置２０の非適用状態となるようにバルブ制御を実行する。すなわち、このステップ１１４では、ショートパスバルブ２４を開放状態とし、連通バルブ２６Ａ、２６Ｂを閉止状態とする（図１（Ｂ）参照）。
【００９６】
次のステップ１０２では、昇温処理を実行する。このステップ１０２での昇温処理が終了すると、ステップ１０３へ移行する。
【００９７】
ステップ１０３では、デフォルト状態（燃料再生装置２０の適用有り）とするべく、ショートパスバルブ２４を閉止状態とし、連通バルブ２６Ａ、２６Ｂを開放状態とする（図１（Ａ）参照）。
【００９８】
次のステップ１０４では、起動処理を実行し、ステップ１０６へ移行する。例えば、原料ガス及び改質水の供給等である。
【００９９】
ステップ１０６では、後段の燃料電池スタック１８のＯＣＶ（ＶＡocv）を検出し、次いで、ステップ１０８へ移行して、燃料再生装置２０の適用状態（再生有）における基準値ＯＣＶ（ＶＳａ）を読み出し、ステップ１１０へ移行する。
【０１００】
ステップ１１０では、ＯＣＶの検出値ＶＡocvと、ＯＣＶ基準値ＶＳａとを比較する。ステップ１１０での比較の結果、ＶＡocv≧ＶＳａと判定された場合は、正常であると判断し、ステップ１１２へ移行して、ＳＯＦＣの発電を開始し、次いでステップ１１３へ移行する。ステップ１１３では、ＳＯＦＣ発電負荷追従運転処理へ移り、このルーチンは終了する。
【０１０１】
また、ステップ１１０での比較の結果、ＶＡocv＜ＶＳａと判定された場合は、異常であると判断し、ステップ１１４へ移行する。
【０１０２】
このステップ１１０での異常判定は、前段の燃料電池スタック１６のリークに限定されず、燃料再生装置２０に原因がある場合がある。そこで、ステップ１１４では、燃料再生装置２０の非適用状態となるようにバルブ制御を実行する。すなわち、このステップ１１４では、ショートパスバルブ２４を開放状態とし、連通バルブ２６Ａ、２６Ｂを閉止状態とする（図１（Ｂ）参照）。
【０１０３】
次のステップ１１６では、後段の燃料電池スタック１８のＯＣＶ（ＶＢocv）を検出し、次いで、ステップ１１８へ移行して、燃料再生装置２０の非適用状態（再生無）におけるＯＣＶ基準値（ＶＳｂ）を読み出し、ステップ１２０へ移行する。
【０１０４】
ステップ１２０では、ＯＣＶの検出値ＶＢocvと、ＯＣＶ基準値ＶＳｂとを比較する。ステップ１２０での比較の結果、ＶＢocv≧ＶＳｂと判定された場合は、正常であると判断し、ステップ１１２へ移行して、燃料再生装置２０を切り離した状態で、ＳＯＦＣ発電負荷追従運転処理へ移行して、このルーチンは終了する。なお、ここでは、燃料再生装置２０を切り離した状態での負荷追従運転処理へ移行するようにしたが、燃料再生装置２０の点検を促す、何らかの警告を報知することが望ましい。また、負荷運転処理への移行に遅延可能な余裕があるか否かを判断し、余裕がある場合は、負荷運転処理への移行を遅延させて、再生燃料装置２０のメンテナンスを実行するようにしてもよい。
【０１０５】
また、ステップ１２０での比較の結果、ＶＢocv＜ＶＳｂと判定された場合は、前段の燃料電池スタック１６の異常であると判断し、ステップ１２２へ移行して、異常を報知する。
【０１０６】
次のステップ１２４では、ＳＯＦＣの起動を停止し、このルーチンは終了する。
【０１０７】
以上説明したように、本実施の形態では、後段の燃料電池スタック１８のセルのＯＣＶを検出し、予め既知の基準値と比較することで、前段の燃料電池スタック１６の状態（正常又は異常）を判断することができる。このため、燃料電池スタックの劣化が進行し易い起動による異常を、当該起動前に検知することができる。
【０１０８】
（変形例１）
【０１０９】
なお、第１の実施の形態では、基準値を固定値としたが、比較対象を前回の燃料電池スタックの健全性を確認モード制御でのＯＣＶ検出部３６による検出値としてもよい。この場合、図２の点線ブロックで示される如く、後段燃料電池スタックＯＣＶ取込部３４に基準値更新部３９が追加される。基準値更新部３９は、基準値メモリ４０に接続され、後段燃料電池スタックＯＣＶ取込部３４によって取り込んだ、ＯＣＶ検出部３６による正常判定を受けた検出値を、基準値メモリ４０に記憶されたＶＳａ、ＶＳｂとして、それぞれ更新記憶する。
【０１１０】
図４は、この変形例１における燃料電池スタックの健全性確認モード制御ルーチンを示すフローチャートである。なお、この図４のフローチャートにおいて、前述した図３のフローチャートと同一ステップについては、同一のステップ番号の末尾に「Ａ」を付し、説明を省略する。
【０１１１】
この変形例１では、図４に示される如く、ステップ１１０Ａで、ＯＣＶの検出値ＶＡocvと、ＯＣＶ基準値ＶＳａとを比較し、正常判定（ＶＡocv≧ＶＳａ）されると、ステップ１１１において、基準値ＶＳａを今回の検出値ＶＡocvに更新し（ＶＳａ←ＶＡocv）、ステップ１１２Ａへ移行して、ＳＯＦＣの発電を開始し、次いでステップ１１３Ａへ移行する。ステップ１１３Ａでは、ＳＯＦＣ発電負荷追従運転処理へ移り、このルーチンは終了する。
【０１１２】
また、この変形例１では、図４に示される如く、ステップ１２０Ａで、ＯＣＶの検出値ＶＢocvと、ＯＣＶ基準値ＶＳｂとを比較し、正常判定（ＶＢocv≧ＶＳｂ）されると、ステップ１２１において、基準値ＶＳｂを今回の検出値ＶＢocvに更新し（ＶＳｂ←ＶＢocv）、ステップ１１２Ａへ移行して、ＳＯＦＣ発電負荷追従運転処理へ移行して、このルーチンは終了する。
【０１１３】
（第２の実施の形態）
【０１１４】
以下に本発明の第２の実施の形態について説明する。なお、第１の実施の形態と同一構成部分については、同一の符号を付してその構成の説明を省略する。
【０１１５】
第２の実施の形態の特徴は、第１の実施の形態に搭載した燃料再生装置２０（図１参照）が存在しない構成である。すなわち、図５に示される如く、アノードオフガスが、燃料電池スタック１８のアノード１８Ａに、再生燃料ガスとして直接供給される配管Ｐ１２が設けられている。
【０１１６】
言い換えれば、配管Ｐ１２は、図１のアノードオフガス管Ｐ６、バイパス管Ｐ１１、再生燃料ガス管Ｐ８が単一の配管で直列に接続された構造である。
【０１１７】
この第２の実施の形態の燃料電池システム１０Ａでは、後段の燃料電池スタック１８のセルのＯＣＶの異常値が、前段の燃料電池スタック１６の異常に起因すると判断される。
【０１１８】
以下に第２の実施の形態の作用を、図６のフローチャートに従い説明する。
【０１１９】
ステップ１５０では、起動指示があったか否かを判断し、否定判定された場合は、このルーチンは終了する。また、ステップ１５０で肯定判定されると、ステップ１５１へ移行して昇温処理を実行し、ステップ１５２へ移行する。ステップ１５２では、起動処理を実行し、ステップ１５４へ移行する。
【０１２０】
ステップ１５４では、後段の燃料電池スタック１８のＯＣＶ（Ｖocv）を検出し、次いで、ステップ１５６へ移行して、燃料再生装置２０の適用状態（再生有）における基準値ＯＣＶ（ＶＳ）を読み出し、ステップ１５８へ移行する。
【０１２１】
ステップ１５８では、ＯＣＶの検出値Ｖocvと、ＯＣＶ基準値ＶＳとを比較する。ステップ１５８での比較の結果、Ｖocv≧ＶＳと判定された場合は、正常であると判断し、ステップ１６０へ移行して、ＳＯＦＣの発電を開始し、次いでステップ１６１へ移行する。ステップ１６１では、ＳＯＦＣ発電負荷追従運転処理へ移り、このルーチンは終了する。
【０１２２】
また、ステップ１５８での比較の結果、Ｖocv＜ＶＳと判定された場合は、異常であると判断し、ステップ１６２へ移行して、異常を報知する。
【０１２３】
次のステップ１６４では、ＳＯＦＣの起動を停止し、このルーチンは終了する。
【０１２４】
（変形例２）
【０１２５】
なお、第２の実施の形態では、基準値を固定値としたが、比較対象を前回の燃料電池スタックの健全性を確認モード制御でのＯＣＶ検出部３６による検出値としてもよい。
【０１２６】
図７は、この変形例２における燃料電池スタックの健全性確認モード制御ルーチンを示すフローチャートである。なお、この図７のフローチャートにおいて、前述の図６のフローチャートと同一ステップについては、同一のステップ番号の末尾に「Ａ」を付し、説明を省略する。
【０１２７】
この変形例２では、図７に示される如く、ステップ１５８Ａで、ＯＣＶの検出値Ｖocvと、ＯＣＶ基準値ＶＳとを比較し、正常判定（Ｖocv≧ＶＳ）されると、ステップ１５９において、基準値ＶＳを今回の検出値Ｖocvに更新し（ＶＳ←Ｖocv）、ステップ１６０Ａへ移行して、ＳＯＦＣの発電を開始し、次いでステップ１６１Ａへ移行する。ステップ１６１Ａでは、ＳＯＦＣ発電負荷追従運転処理へ移り、このルーチンは終了する。
【０１２８】
なお、第１の実施の形態及び第２の実施の形態（それぞれの変形例１、変形例２を含む）では、燃料電池スタックが２段のシステムとし、後段の燃料電池スタック１８で前段の燃料電池スタック１６の状態を判別するようにしたが、３段以上の多段の燃料電池スタックの場合は、セルのＯＣＶを検出する燃料電池スタックよりも上段（上流）側の燃料電池スタックの何れかに異常が発生していると判断されるため、２段目以降の各段毎の燃料電池スタック毎にＯＣＶ検出部３６を設置するようにしてもよい。
【０１２９】
また、第１の実施の形態及び第２の実施の形態（それぞれの変形例１、変形例２を含む）では、多段となっている燃料電池スタックの何れかセルの開回路電圧（ＯＣＶ）を検出するようにしたが、燃料電池スタック１８及びそれよりも後段の燃料電池スタックの開回路電圧（ＯＣＶ）を検出するようにしてもよい。
【０１３０】
さらに、第１の実施の形態及び第２の実施の形態（それぞれの変形例１、変形例２を含む）では、起動後、発電負荷運転前に開回路電圧を検出するようにしたが、発電停止後に開回路電圧を検出するようにしてもよい。すなわち、発電停止→後段スタック電圧を確認し故障を判定→降温処理、の流れで処理を実行すればよい。
【符号の説明】
【０１３１】
Ｂ    ブロア
Ｐ１    原料ガス管
Ｐ２    水供給管
Ｐ３    配管
Ｐ４    燃料ガス管
Ｐ５    配管
Ｐ６    アノードオフガス管
Ｐ７    カソードオフガス管
Ｐ８    再生燃料ガス管
Ｐ９    配管
Ｐ１０    カソードオフ燃焼導入管
Ｐ１１    バイパス管
１０    燃料電池システム
１２    気化器（多段式発電処理部）
１４    改質器（多段式発電処理部）
１５    燃焼器（多段式発電処理部）
１６    第１燃料電池スタック（多段式発電処理部）
１６Ａ    アノード
１６Ｂ    カソード
１８    第２燃料電池スタック（多段式発電処理部）
１８Ａ    アノード
１８Ｂ    カソード
２０    燃料再生装置
２２    制御部（判定手段）
２４    ショートパスバルブ
２６Ａ、２６Ｂ    連通バルブ
２８    起動指示受付部
３０    バルブ動作制御部
３２    起動実行部
３４    ＯＣＶ取込部
３６    ＯＣＶ検出部（電圧検出手段）
３８    比較部
４０    基準値メモリ
４２    判定部
４４    処理選択部
４６    正常処理部
【図１】
2018147737.tif 000003
【図２】
2018147737.tif 000004
【図３】
2018147737.tif 000005
【図４】
2018147737.tif 000006
【図５】
2018147737.tif 000007
【図６】
2018147737.tif 000008
【図７】
2018147737.tif 000009